(57)【要約】　　　（修正有）【課題】容易に装着でき、指一本で開閉できるレバーを提供する。【解決手段】帯状の輪１１として直径７センチ、厚さ１ミリ、幅２センチ位の金属製とし、その内側に厚さ１ミリ、幅２センチ、長さ７センチ位でゴム製の滑り止め１６を付けた。輪１１内側で滑り止１６と対向する位置に、先端に厚さ２ミリ、縦横寸法が２センチ角位で、月型のゴム製である台座１５が先端部に付いた、直径１０ミリ、長さ５センチ位の金属製のボルト１３を輪１１の内側に固着したナット１４に進退可能に螺着した。【選択図】図１
0003099352.tif 000002
【実用新案登録請求の範囲】
【請求項１】
ドアを開閉する為の丸ノブに、一本の指ででも容易に開閉できる様に配慮し、丸ノブに簡単に取り付ける事の出来る特徴を持ったドア丸ノブ用ハンドル。
【請求項２】
請求項１記載のドア丸ノブ用ハンドルのおいて、ドアの丸ノブに装着可能な帯状の輪と前記輪をドアの丸ノブに締付ける台座を進退可能に螺着したハンドルと前記輪の内側面に滑り止を設けたドア丸ノブ用ハンドル。
【請求項３】
前記ドア丸ノブ用ハンドを覆うカバーを備えた請求項１または２記載のドア丸ノブ用ハンドル。
【考案の詳細な説明】
【０００１】
【考案の属する技術分野】
本考案は、扉に設けられた丸いノブに取付けて使用するドア丸ノブ用ハンドルに関する。
【０００２】
【従来の技術】
従来のドアノブは、丸く、ツルリとしたもの（以下，丸ノブという）や、ドアノブが、始めからレバー型の扉もある。又、過去の実用新案登録で丸いドアノブに、手軽に且つ安全に扉を開け閉めできるためにゴム製のキャツプを取り付けるもののある。（特許文献１、参照。）。
【０００３】
【特許文献１】
実願平７−８５４０号公報
【０００４】
【考案が解決しようとする課題】
扉を開けるには、ノブを回して開かなくてはならない。普段、なにげなく開いているドアだが、丸ノブの場合は手が汚れている時や、荷物などで両手が塞がっている時、手を動かせない時など、ある条件が重なると、開閉が非常に困難となる場合がある。
【０００５】
そこで、本考案は、この様な問題を、容易に装着でき、指一本で開閉できるレバーを提供する事を目的とする。
【０００６】
【課題を解決するための手段】
この考案は、上記の目的を達成するためになされたもので、ドアを開閉する為の丸ノブに、一本の指ででも容易に開閉できる様に配慮し、丸ノブに簡単に取り付ける事の出来るドア丸ノブ用ハンドルを提供する。そして、ドア丸ノブ用ハンドルは、ドアの丸ノブに装着可能な帯状の輪と前記輪をドアの丸ノブに締付ける台座を進退可能に螺着したハンドルと前記輪の内側面に滑り止を設けたドア丸ノブ用ハンドルとすることが出来る。なお、前記ドア丸ノブ用ハンドを覆うカバーを備えても良い。
【０００７】
【考案の実施の形態】
本考案の実施の形態を図に基いて説明する。図１は、本考案の実施例となる、ドア丸ノブ用ハンドルの正面図、図２はその平面図、図３（ａ）は丸ノブに実施例となるハンドルを取り付けた状態で、図３（ｂ）はハンドルの表面にカバーを取り付けた参考図で、図３（ｃ）は象の顔をデザインしたカバーである。
【０００８】
本考案の実施例になるドア丸ノブ用ハンドルは図１や図２に示すように、ドアの丸ノブに装着可能な帯状の輪１１と前記輪１１をドアの丸ノブに締付ける台座１５を進退可能に螺着したハンドル１２と前記輪１１の内側面に滑り止１６を設けている。
例えば、耐久性に優れた材質で出来た帯状の輪１１は、丸いドアノブの大きさに適応した金属又は、プラスチック、ゴムなどの素材からできている。先端にボルト１３を回しこめる円柱形のレバー１２は、、片手で握り少し長さに余裕があり、輪１１と同じ素材でできている。ドアノブとレバー１２が一体となるために適当な長さのボルト１３は金属できている。輪１１に固定され、ドアノブと輪１１をボルト１３により固定する為に設けたナット１４も金属でできている。ドアノブの側面の形に適合し、ボルト１３に固定した月型の台座１５も輪１１と同じ素材でできている。ドアノブの側面と輪１１に適合した大きさで、レバー１２を操作した際の空回りを防ぐ滑り止め１６は、プラスチック、ゴムなどの耐久性に優れた材質でできている。なべ型の緩み止め１７は、ボルト１３が緩まないように輪１１に対して締め付けられる大きさで、耐久性に優れた金属又は、プラスチックなどの材質で出来ている。図３に示すカバー１８は、布、麻、綿、ウール、ポリエステル、革、人工革、木綿などの繊維類で構成し、ドア丸ノブハンドルを覆う色彩、柄、模様、形を豊富にコーディネ−トできる。
【０００９】
ドアの丸ノブに本考案の丸ノブ用ハンドルを取り付けるには、ドアノブに、滑り止め１６とナット１４が付いた輪１１を装着し、台座１５の付ついたボルト１３を、ドアノブ側に回して締め込み固定し、レバー１２をボルト１３に回し込んで、輪１１とレバー１２の間にある緩み止め１７を回転させたて、輪１１側に締めこみ、しっかりと固定する。
【００１０】
【実施例】
本考案の実施例について説明する。　本考案では、帯状の輪１１として直径７センチ、厚さ１ミリ、幅２センチ位の金属製とし、その内側に厚さ１ミリ、幅２センチ、長さ７センチ位でゴム製の滑り止め１６を付けた。
【００１１】
そして、輪１１内側で滑り止１６と対向する位置に、先端に厚さ２ミリ、縦横寸法が２センチ角位で、月型のゴム製である台座１５が先端部に付いた、直径１０ミリ、長さ５センチ位の金属製のボルト１３を輪１１の内側に固着したナット１４に進退可能に螺着した。
【００１２】
金属製のボルト１３には、締めつけたボルト１３が緩まないようにするため、直径３センチ、厚み１センチ位の皿形で、プラスチックで覆った緩み止め１７を螺着した。　ボルト１３の他端部には、３センチ位い回して固定できるプラスチック製のレバー１２を取り付けた。
【００１３】
また、この実施例になる丸ノブ用ハンドルにカバー１８を付けることが出来るが、カバー１８としては、ポリエステル樹脂を用いた布製で、図３（ｃ）の様に象の顔のデザインにした。
【００１４】
【考案の効果】
本考案の丸ノブ用ハンドルは上述の様に構成されているので、丸いドアノブに取り付ける事により、今まで困難であつた丸いドアノブの開閉が、楽にできる。
【図面の簡単な説明】
【図１】実施例になる丸ノブ用ドアハンドルの正面図である。
【図２】実施例になる丸ノブ用ドアハンドルの平面図である。
【図３】（ａ）は実施例になる丸ノブ用ドアハンドルをドアの丸ノブに取り付けた斜視図で、（ｂ）はドアの丸ノブに取り付けた丸ノブ用ドアハンドルにカバーを取り付けた斜視図である。（ｃ）は、丸ノブ用ドアハンドルのカバーである。
【符号の説明】
１１　輪
１２　レバー
１３　ボルト
１４　ナット
１５　台座
１６　滑り止め
１７　緩み止め
１８　カバー
【図１】
0003099352.tif 000003
【図２】
0003099352.tif 000004
【図３】
0003099352.tif 000005
【手続補正書】
【提出日】平成15年8月15日(2003.8.15)
【手続補正１】
【補正対象書類名】明細書
【補正対象項目名】実用新案登録請求の範囲
【補正方法】変更
【補正の内容】
【実用新案登録請求の範囲】
【請求項１】
ドアを開閉する為の丸ノブに用いるドア丸ノブ用ハンドルであって、ドアの丸ノブに装着可能な帯状の輪と前記輪をドアの丸ノブに締付ける台座を進退可能に螺着したハンドルと前記輪の内側面に滑り止を設けたドア丸ノブ用ハンドル。
【請求項２】
前記ドア丸ノブ用ハンドルを覆うカバーを備えた請求項１記載のドア丸ノブ用ハンドル。
【手続補正２】
【補正対象書類名】明細書
【補正対象項目名】０００６
【補正方法】変更
【補正の内容】
【０００６】
【課題を解決するための手段】
この考案は、上記の目的を達成するためになされたもので、ドアを開閉する為の丸ノブに用いるドア丸ノブ用ハンドルであって、ドアの丸ノブに装着可能な帯状の輪と前記輪をドアの丸ノブに締付ける台座を進退可能に螺着したハンドルと前記輪の内側面に滑り止を設けたドア丸ノブ用ハンドルである。なお、前記ドア丸ノブ用ハンドルを覆うカバーを備えても良い。